(57)【要約】【課題】ユーザに好適な印刷環境を確実にそして容易に構築する。【解決手段】製造者は、不揮発性記憶装置９に記憶される出荷状態フラグをオン状態（未設定）と記憶させて出荷することにより、孔版印刷装置１がユーザに好適な動作状態に設定されていないことを設定する。そして、ユーザが孔版印刷装置１を起動するのに応じて、ＣＰＵ２は、出荷状態フラグがオン状態であるか否かを判別し、出荷状態フラグがオン状態である場合、孔版印刷装置１がユーザに好適な動作状態に設定されていないと判断し、初期設定画面を表示装置７に表示し、孔版印刷装置１の初期設定をユーザに行わせる。【選択図】図１
2005262654.tif 000002
【特許請求の範囲】
【請求項１】
操作画面を表示する表示部を備え、操作画面を介して各種設定を行うことが可能な印刷装置であって、
印刷装置の出荷時に初期設定が未であることを設定する設定部と、
前記設定部により、印刷装置の初期設定状態を示す出荷状態フラグが未設定に設定されるのに応じて、出荷状態フラグが未設定であることを記憶する記憶部と、
印刷装置が起動操作されるのに応じて、前記記憶部に記憶されている出荷状態フラグが未設定であるか否かを判別し、出荷状態フラグが未設定の場合、印刷装置の初期設定を行うための操作画面を前記表示部に表示し、印刷装置の初期設定を行うことを指示する制御部と、
を備えることを特徴とする印刷装置。
【請求項２】
前記制御部は、全ての初期設定が完了したか否かを判別し、全ての初期設定が完了するのに応じて、前記記憶部により記憶されている出荷状態フラグを設定済みに書換えることを特徴とする請求項１に記載の印刷装置。
【請求項３】
前記制御部は、出荷状態フラグが設定済みである場合には、初期設定に合わせた操作画面を前記表示部に表示することを特徴とする請求項１又は請求項２に記載の印刷装置。
【請求項４】
操作画面を表示する表示部を備え、操作画面を介して各種設定を行うことが可能な印刷装置の制御方法であって、
印刷装置の出荷時に初期設定が未であることを設定するステップと、
印刷装置の初期設定状態を示す出荷状態フラグが未設定に設定されるのに応じて、出荷状態フラグが未設定であることを記憶するステップと、
印刷装置が起動操作されるのに応じて、記憶されている出荷状態フラグが未設定であるか否かを判別し、出荷状態フラグが未設定の場合、印刷装置の初期設定を行うための操作画面を前記表示部に表示し、印刷装置の初期設定を行うことを指示するステップと、
を有することを特徴とする印刷装置の制御方法。
【発明の詳細な説明】
【技術分野】
【０００１】
本発明は、操作画面を表示する表示部を備え、この操作画面を介して装置の初期設定を行うことが可能な印刷装置及びその制御方法に関し、より詳しくは、ユーザに好適な印刷環境を確実にしかも容易に構築するための技術に係わる。
【背景技術】
【０００２】
近年の印刷装置の多機能化に伴い、印刷装置の全ての機能を自由に使いこなすことはユーザにとって困難になっている。このような背景から、最近の印刷装置には、起動時に操作パネル上に最初に表示する操作画面や、起動時の印刷装置の初期状態（モード）を設定するための初期設定機能、ユーザに好適な機能を操作パネル上に優先的に表示させるための表示カスタマイズ機能等、印刷装置をユーザに合わせた好適な状態に設定するための機能が搭載されるようになっている（例えば、特許文献１，２参照）。
【特許文献１】特開平９−２００５０号号公報
【特許文献２】特開２００１−４７７０８号公報
【発明の開示】
【発明が解決しようとする課題】
【０００３】
しかしながら、従来までの印刷装置によれば、ユーザに好適な状態に設定するための機能を印刷装置に搭載したとしても、その機能は印刷装置が有する複数の機能の中の一つの機能に過ぎないので、ユーザがその存在に気づかず、ユーザに好適な状態に設定されていない状態で印刷装置が使用されていることがある。そして、印刷装置がユーザに好適な状態に設定されていない場合には、ユーザは、自身にとって好適でない印刷環境下で印刷作業を行うことになるので、印刷作業を効率的に行うことが困難であった。
【０００４】
本発明は、上記課題を解決するためになされたものであり、その目的は、ユーザに好適な印刷環境を確実にしかも容易に構築することを可能にする印刷装置及びその制御方法を提供することにある。
【課題を解決するための手段】
【０００５】
上記の課題を解決するために、本発明における印刷装置は、操作画面を表示する表示部を備え、操作画面を介して各種設定を行うことが可能な印刷装置であって、印刷装置の出荷時に初期設定が未であることを設定する設定部と、設定部により、印刷装置の初期設定状態を示す出荷状態フラグが未設定に設定されるのに応じて、出荷状態フラグが未設定であることを記憶する記憶部と、印刷装置が起動操作されるのに応じて、記憶部に記憶されている出荷状態フラグが未設定であるか否かを判別し、出荷状態フラグが未設定の場合、印刷装置の初期設定を行うための操作画面を表示部に表示し、印刷装置の初期設定を行うことを指示する制御部とを備える。
【０００６】
また、本発明における印刷装置の制御方法は、操作画面を表示する表示部を備え、操作画面を介して各種設定を行うことが可能な印刷装置の制御方法であって、印刷装置の出荷時に初期設定が未であることを設定するステップと、印刷装置の初期設定状態を示す出荷状態フラグが未設定に設定されるのに応じて、出荷状態フラグが未設定であることを記憶するステップと、印刷装置が起動操作されるのに応じて、記憶されている出荷状態フラグが未設定であるか否かを判別し、出荷状態フラグが未設定の場合、印刷装置の初期設定を行うための操作画面を表示部に表示し、印刷装置の初期設定を行うことを指示するステップとを有する。
【０００７】
すなわち、本発明における印刷装置及びその制御方法は、印刷装置の初期設定状態を示す出荷状態フラグを未設定に設定し、それを記憶することによって、出荷状態フラグが未設定として記憶されている場合には、印刷装置が起動操作された際、印刷装置の初期設定を行うための操作画面を表示部に表示し、印刷装置の初期設定を行うことをユーザに指示する。
【発明の効果】
【０００８】
本発明における印刷装置及びその制御方法によれば、印刷装置を起動した際、ユーザに好適な動作状態に設定するための初期設定操作が必ず行われようになるので、ユーザに好適な印刷環境を確実に構築することができる。
【発明を実施するための最良の形態】
【０００９】
本発明は、例えば図１に示すような構成を有する孔版印刷装置に適用することができる。以下、図面を参照して、本発明の一実施形態となる孔版印刷装置の構成と動作について詳しく説明する。
【００１０】
［孔版印刷装置の構成］
始めに、図１を参照して、本発明の一実施形態となる孔版印刷装置の構成について説明する。
【００１１】
本発明の一実施形態となる孔版印刷装置１は、図１に示すように、ＣＰＵ（Central Processing Unit）２が、ＲＯＭ（Read Only Memory）３に記憶された制御プログラム４をＲＡＭ（Random Access Memory）５に読み出し、読み出された制御プログラム４に従って印刷部６を制御することにより、画像読取処理、製版処理、印刷処理等の処理を含む孔版印刷処理を統括制御するように構成されている。また、この孔版印刷装置１は、ＬＣＤ（Liquid Crystal Display）等の表示装置７と、タッチパネルやテンキー等の入力装置８とを備え、ユーザは、表示装置７に表示された操作画面に従って入力装置８を操作することにより、各種処理の実行を孔版印刷装置１に指示可能なように構成されている。また、孔版印刷装置１は、Flash-ROMやEEP-ROM（Electronically Erasable and Programmable-ROM）等の不揮発性記憶装置９を備え、この不揮発性記憶装置９は、孔版印刷装置１がユーザに最適な状態に設定されているか否かを示す出荷状態フラグを記憶する出荷状態記憶部１０を有する。
【００１２】
なお、表示装置７、入力装置８、不揮発性記憶装置９、及びＣＰＵ２は、本発明に係る表示部、設定部、記憶部、及び制御部として機能する。また、詳しくは後述するが、出荷状態記憶部１０により記憶される出荷状態フラグは、孔版印刷装置１の製造者によってオン状態に設定され、出荷状態フラグがオン状態にある場合、ユーザが、孔版印刷装置１を好適な動作状態に設定していない状態であることを示す。一方、出荷状態フラグがオフ状態である場合には、ユーザが、孔版印刷装置１を好適な動作状態に設定した状態にあることを示す。
【００１３】
このような構成を有する孔版印刷装置１は、以下に示す出荷状態設定処理及び初期設定処理を実行することにより、ユーザに好適な印刷環境を確実にそして容易に構築する。以下、図２、図３に示すフローチャートを参照して、出荷状態設定処理及び初期設定処理を実行する際の孔版印刷装置１の動作手順について詳しく説明する。なお、後述する孔版印刷装置１の動作は、ＲＯＭ３からＲＡＭ５に読み出された制御プログラム４をＣＰＵ２が実行することにより実現される。
【００１４】
［孔版印刷装置の動作］
〔出荷状態設定処理〕
始めに、図２に示すフローチャートを参照して、出荷状態設定処理を実行する際の孔版印刷装置１の動作手順について説明する。
【００１５】
図２に示すフローチャートは、製造者が、入力装置８を操作して出荷状態設定処理の実行を指示するのに応じて開始となる。
【００１６】
ステップＳ１の処理において、ＣＰＵ２は、表示装置７に出荷状態設定用の操作画面を表示する。そして、製造者が入力装置８を操作して出荷状態フラグをオン状態に設定することを指示するのに応じて、ＣＰＵ２は、出荷状態記憶部１０により記憶されている出荷状態フラグをオン状態に設定する。これにより、一連の出荷状態設定処理は完了し、孔版印刷装置１はユーザのもとに納品される。
【００１７】
〔初期設定処理〕
次に、図３に示すフローチャートを参照して、初期設定処理を実行する際の孔版印刷装置１の動作手順について説明する。
【００１８】
図３に示すフローチャートは、ユーザが、出荷状態設定処理完了後の孔版印刷装置１を起動操作するのに応じて開始となる。
【００１９】
ステップＳ１１の処理において、ＣＰＵ２は、出荷状態記憶部１０に記憶されている出荷状態フラグがオン状態にあるか否かを判別する。そして、出荷状態フラグがオフ状態にある場合、ＣＰＵ２は、初期設定処理は既に完了していると判断し、ＲＯＭ３に記憶されている設定情報に従って表示装置７に通常の操作画面（基本画面）を表示して一連の初期設定処理を終了する。一方、出荷状態フラグがオン状態にある場合には、ＣＰＵ２は、初期設定処理は完了していないと判断し、初期設定処理をステップＳ１２の処理に進める。
【００２０】
ステップＳ１２の処理において、ＣＰＵ２は、初期設定画面数を計数するためのプログラムカウンタの値ｎに１をセット（ｎ＝１）する。
【００２１】
ステップＳ１３の処理において、ＣＰＵ２は、プログラムカウンタの値ｎに対応する初期設定画面（ｎ番目の初期設定画面）を表示装置７に表示する。具体的には、この実施形態では、ＣＰＵ２は、プログラムカウンタの値ｎに応じて、図４（ａ）乃至図４（ｄ）に示す初期設定画面を表示装置７に順次表示する。
【００２２】
なお、図４（ａ）に示す初期設定画面は、プログラムカウンタの値ｎが１である時に表示装置７に表示される初期設定画面を示し、孔版印刷装置１に内蔵されている時計の日時を設定するための画面である。また、図４（ｂ）に示す初期設定画面は、プログラムカウンタの値ｎが２である時に表示装置７に表示される初期設定画面を示し、孔版印刷装置１を使用するユーザの業種を設定する、即ち、孔版印刷装置１の有する機能の中からユーザが最も頻繁に使用する機能を絞り込むための画面である。
【００２３】
また、図４（ｃ）に示す初期設定画面は、プログラムカウンタの値ｎが３である時に表示装置７に表示される初期設定画面を示し、起動時の印刷モードを選択するためのモード選択画面を表示装置７に表示させるか否かを設定するための画面である。また、図４（ｄ）に示す初期設定画面は、プログラムカウンタの値ｎが４である時に表示装置７に表示される初期設定画面を示し、孔版印刷装置１を起動した際に表示装置７に最初に表示する画面を設定するための画面である。
【００２４】
ステップＳ１４の処理において、ＣＰＵ２は、表示装置７に表示した初期設定画面の設定項目をユーザが入力装置８を操作して設定したか否かを判別する。そして、設定項目が設定されるのに応じて、ＣＰＵ２は、設定された情報を設定値記憶部１１に記憶した後、初期設定処理をステップＳ１５の処理に進める。
【００２５】
ステップＳ１５の処理において、ＣＰＵ２は、プログラムカウンタの値ｎが所定の初期設定項目（画面）数Ｎ（ＲＯＭ３に予め記憶されており、この実施形態では、Ｎ＝４）以下であるか否かを判別する。そして、プログラムカウンタの値ｎが初期設定項目数Ｎ以下である場合、ＣＰＵ２は、ステップＳ１６の処理として、プログラムカウンタの値ｎを１増数した後、この初期設定処理をステップＳ１３の処理に戻す。
【００２６】
一方、プログラムカウンタの値ｎが初期設定項目数Ｎ以下でない場合には、ＣＰＵ２は、孔版印刷装置１の初期設定は完了したと判断し、ステップＳ１７の処理として出荷状態記憶部１０に記憶されいてる出荷状態フラグをオフ状態に設定した後、設定値記憶部１１に記憶されている設定情報に従って表示装置７に通常画面を表示し、一連の初期設定処理を終了する。
【００２７】
以上の説明から明らかなように、本発明の一実施形態となる孔版印刷装置１によれば、製造者は、不揮発性記憶装置９に記憶される出荷状態フラグをオン状態（未設定）と記憶させて出荷することにより、孔版印刷装置１がユーザに好適な動作状態に設定されていないことを設定する。そして、ユーザが孔版印刷装置１を起動操作するのに応じて、ＣＰＵ２は、出荷状態フラグがオン状態であるか否かを判別し、出荷状態フラグがオン状態である場合、孔版印刷装置１がユーザに好適な動作状態に設定されていないと判断し、初期設定画面を表示装置７に表示し、孔版印刷装置１の初期設定をユーザに行わせる。そして、このような構成によれば、ユーザは、孔版印刷装置１を最初に起動した際は必ず初期設定を行うことになるので、ユーザに好適な印刷環境を確実にそして容易に構築することができる。
【００２８】
また、本発明の一実施形態となる孔版印刷装置１によれば、ＣＰＵ２は、プログラムカウンタの値ｎを参照して全ての初期設定が完了したか否かを判別し、全ての初期設定が完了するのに応じて、不揮発性記憶装置９に記憶されている出荷状態フラグをオフ状態に書換えるので、ユーザは、必要な初期設定を漏れなく行うことができ、ユーザに好適な印刷環境を確実にそして容易に構築することができる。
【００２９】
以上、本発明者によってなされた発明を適用した実施形態について説明したが、この実施形態による本発明の開示の一部をなす論述及び図面によって本発明は限定されることはない。例えば、本実施形態は本発明を孔版印刷装置に適用したものであるが、本発明は、レーザービームプリンタやインクジェットプリンタ等の印刷装置にも適用することができる。このように、上記実施形態に基づいて当業者等によりなされる他の実施形態、実施例及び運用技術等は全て本発明の範疇に含まれることは勿論であることを最後に付け加えておく。
【産業上の利用可能性】
【００３０】
本発明は、孔版印刷装置、レーザビームプリンタ、インクジェットプリンタ等、操作画面を表示する表示部を備え、この操作画面を介して装置の設定を行うことが可能な印刷装置に適用することができる。
【図面の簡単な説明】
【００３１】
【図１】本発明の一実施形態となる孔版印刷装置の構成を示すブロック図である。
【図２】図１に示す孔版印刷装置の出荷状態設定処理の動作手順を示すフローチャートである。
【図３】図１に示す孔版印刷装置の初期設定処理の動作手順を示すフローチャートである。
【図４】図３に示す初期設定処理により表示装置に表示される初期設定画面を示す図である。
【符号の説明】
【００３２】
１：孔版印刷装置
２：ＣＰＵ（Central Processing Unit）
３：ＲＯＭ（Read Only Memory）
４：制御プログラム
５：ＲＡＭ（Random Access Memory）
６：印刷装置
７：表示装置
８：入力装置
９：不揮発性記憶装置
１０：出荷状態記憶部
１１：設定値記憶部
【図１】
2005262654.tif 000003
【図２】
2005262654.tif 000004
【図３】
2005262654.tif 000005
【図４】
2005262654.tif 000006